(57)【要約】【課題】  中空二層管の製作コストを低減させるとともに、遮音性能を向上させることを目的とする。【解決手段】  本発明に係る中空二層管は、内管１１と、空間を介して内管１１を覆う外管２０と、内管１１と外管２０との間に介在するスペーサ３０とを備える中空二層管１０であって、スペーサ３０は、外管２０の両端部において、その外管２０の端部内周面と内管１１の外周面との隙間に外部から嵌め込まれる構成であり、内管１１に対して外管２０を非接触状態に保持することを特徴とする。このため、内管を覆う吸音層等が不要になる。また、内管と外管とが非接触状態に保持されるため、空間が円周方向及び軸方向に連続して形成される。【選択図】      図１
2007113730.tif 000002
【特許請求の範囲】
【請求項１】
内管と、空間を介して前記内管を覆う外管と、前記内管と外管との間に介在するスペーサとを備える中空二層管であって、
前記スペーサは、前記外管の両端部において、その外管の端部内周面と前記内管の外周面との隙間に外部から嵌め込まれる構成であり、前記内管に対して前記外管を非接触状態に保持することを特徴とする中空二層管。
【請求項２】
請求項１に記載された中空二層管であって、
スペーサは、
内管が挿通された状態で外管の端面に当接可能なフランジ部と、
前記フランジ部の円周方向に形成されており、前記外管の端部内周面と前記内管の外周面との隙間に嵌め込まれる嵌合部と、
を備えていることを特徴とする中空二層管。
【請求項３】
請求項１又は請求項２のいずれかに記載された中空二層管であって、
スペーサは、取外しが可能な状態で、外管の端部内周面と内管の外周面との隙間に嵌め込まれており、取外し後、再度取付けが可能な構成であることを特徴とする中空二層管。
【請求項４】
請求項１〜請求項３のいずれかに記載された中空二層管であって、
内管は、直列に配置された複数本の外管によって覆われており、一の前記外管と他の前記外管との境界部分、及びその境界部分の反対側に位置する外管の端部にスペーサが装着されていることを特徴とする中空二層管。
【請求項５】
請求項１〜請求項４のいずれかに記載された中空二層管であって、
内管の外周面と外管の内周面との隙間寸法は20mm以下に設定されていることを特徴とする中空二層管。
【請求項６】
請求項１〜請求項５のいずれかに記載された中空二層管であって、
スペーサは、遮煙性、遮炎性、遮熱性及び防水性を備えていることを特徴とする中空二層管。
【発明の詳細な説明】
【技術分野】
【０００１】
本発明は、内管と、空間を介して前記内管を覆う外管と、前記内管と外管との間に介在するスペーサとを備える中空二層管に関する。
【背景技術】
【０００２】
上記した二層管に関連する技術が特許文献１に記載されている。
特許文献１に係る二層管１００は排水管であり、図５に示すように、排水を流す内管１０１の周囲が吸音層１０２によって覆われており、その吸音層１０２と内管１０１との間に軸方向に延びる三日月形の空間１０３が円周方向に二ヶ所形成されている。さらに、前記吸音層１０２の回りが遮音機能を有する外管１０５によって覆われている。
このように、内管１０１が吸音層１０２と空間１０３とに覆われているため、排水の流れ音（排水音）が吸音層１０２と空間１０３とに吸収される。さらに、吸音層１０２の回りが外管１０５に覆われているため、排水音が外部に漏れ難くなる。
【０００３】
【特許文献１】特開２００５−２４０９１１号公報
【発明の開示】
【発明が解決しようとする課題】
【０００４】
しかし、上記した二層管（排水管）１００では、内管１０１の周囲に吸音層１０２を設けるため、その吸音層１０２の分だけコスト高となる。また、吸音層１０２と内管１０１との間に三日月形の空間１０３を形成するために、空間１０３の形成用に型が必要となり、さらに空間１０３の形成後には前記型を引き抜く必要がある。このため、排水管１００の製作に手間が掛る。
また、前記空間１０３は排水管１００の円周方向の一部にしか設けられていないため、排水管１００の円周方向において吸音層１０２と空間１０３とが排水音を吸収する性能にばらつきが生じるおそれがある。
【０００５】
本発明は、上記問題点を解決するためになされたものであり、本発明の技術的課題は、内管と外管との間に円周方向において連続した空間を形成して吸音性能を向上させるとともに、中空二層管の製作コストの低減を図ることである。
【課題を解決するための手段】
【０００６】
上記した課題は、各請求項の発明によって解決される。
請求項１に係る発明は、内管と、空間を介して前記内管を覆う外管と、前記内管と外管との間に介在するスペーサとを備える中空二層管であって、前記スペーサは、前記外管の両端部において、その外管の端部内周面と前記内管の外周面との隙間に外部から嵌め込まれる構成であり、前記内管に対して前記外管を非接触状態に保持することを特徴とする。
【０００７】
本発明によると、外管の両端部において、その外管の端部内周面と内管の外周面との隙間に外部から嵌め込まれるスペーサによって、内管と外管とが非接触状態に保持され、その内管と外管間に空間が形成される。このように、外管の両端部をスペーサで支える構成のため、前記外管の軸方向における途中部分に支持材等が不要になる。これによって、内管を覆う吸音層等が不要になるとともに、型により空間を形成する必要もなく、中空二層管の製作コストが低減する。
さらに、外管の両端部にスペーサを設け、内管と外管とを非接触状態に保持するため、前記空間が円周方向及び軸方向に連続して形成される。このため、中空二層管の円周方向等において吸音性能がばらつき難くなり、中空二層管の遮音性能が向上する。
【０００８】
請求項２の発明によると、スペーサは、内管が挿通された状態で外管の端面に当接可能なフランジ部と、前記フランジ部の円周方向に形成されており、前記外管の端部内周面と前記内管の外周面との隙間に嵌め込まれる嵌合部とを備えている。
このため、スペーサで空間の端部を塞げるようになり、空間内への異物の侵入や火炎の侵入を防止できる。
請求項３の発明によると、スペーサは、取外しが可能な状態で、外管の端部内周面と内管の外周面との隙間に嵌め込まれており、取外し後、再度取付けが可能な構成であることを特徴とする。
このため、中空二層管を途中で裁断した場合でも、その中空二層管の端部に装着されていたスペーサを裁断部分に再度使用できるようになる。
【０００９】
請求項４の発明によると、内管は、直列に配置された複数本の外管によって覆われており、一の前記外管と他の前記外管との境界部分、及びその境界部分の反対側に位置する外管の端部にスペーサが装着されていることを特徴とする。
請求項５の発明によると、内管の外周面と外管の内周面との隙間寸法は20mm以下に設定されていることを特徴とする。
請求項６の発明によると、スペーサは、遮煙性、遮炎性、遮熱性及び防水性を備えていることを特徴とする。
このため、内管を樹脂で製作した場合でも火災等から内管を保護できるようになる。
【発明の効果】
【００１０】
本発明によると、中空二層管の製作コストが低減するとともに、遮音性能が向上する。
【発明を実施するための最良の形態】
【００１１】
以下、図１〜図４に基づいて本発明の実施形態１に係る中空二層管の説明を行なう。本実施形態に係る中空二層管は、マンション等の集合住宅における排水経路を構成する排水立て管として好適に使用される。ここで、図１は中空二層管の分解斜視図、図２は中空二層管の横断面図、図３は中空二層管のスペーサの斜視図である。
【００１２】
＜中空二層管１０の構成概要について＞
中空二層管１０は、図１、図２に示すように、直管状の内管１１と、空間を介した状態でその内管１１を覆う外管２０とを備えている。
内管１１は、排水を流すための管体であり、例えば硬質塩化ビニル製のものが好適に使用される。外管２０は、遮音性能と耐火性能とを備える管体であり、例えば耐火繊維が混入されたモルタル製のものが好適に使用される。内管１１は、外管２０に通された状態で、その外管２０の両端から挿し代Ｌ＋スペーサ厚みＴ（後記する）分だけ突出するように、その長さ寸法が設定されている。ここで、挿し代Ｌとは、中空二層管１０を排水管継手等に接続する際、その排水管継手等に対する内管１１の必要挿入寸法をいう。なお、内管１１と外管２０とを等しい寸法で製作し、現地で前記挿し代Ｌ、スペーサ厚みＴに合わせて外管２０を裁断することも可能である。
外管２０の両端部には、その外管２０と内管１１とがほぼ同心となるように、前記内管１１に対して外管２０を保持するスペーサ３０が装着されている。
【００１３】
＜スペーサ３０の構成について＞
スペーサ３０は、図３に示すように、環状のスペーサであり、フランジ部３２を備えている。フランジ部３２は、その外径寸法が外管２０の外径寸法にほぼ等しく設定されており、内径寸法が内管１１の外径寸法にほぼ等しく設定されている。これにより、内管１１がフランジ部３２に通された状態で、そのフランジ部３２のフランジ面３２ｆが外管２０の端面に当接し、その端面を覆えるようになる。ここで、フランジ部３２の厚み寸法は、寸法Ｔに設定されており、前記寸法Ｔが前述のスペーサ厚みＴに相当する。
フランジ部３２のフランジ面３２ｔには、開口周縁に突起状の嵌合部３４が円周方向に等間隔で少なくとも三箇所に形成されている。嵌合部３４は、外管２０の端部内周面と内管１１の外周面との隙間に外部から嵌め込まれる部位であり、フランジ面３２ｔに対して直角に形成されている。また、嵌合部３４の厚み寸法Ｈは、一般的に外管２０の内径寸法と内管１１の外径寸法との差のほぼ１／２（通常寸法）に設定されている。なお、嵌合部３４が可撓性を有している場合には前記通常寸法よりも大きめに設定するのが好ましい。これによって、三箇所の嵌合部３４が外管２０の端部内周面と内管１１の外周面との隙間に嵌め込まれた状態で、図２（Ａ）に示すように、内管１１と外管２０とはほぼ同心に保持される。
スペーサ３０は、遮煙性、遮炎性、遮熱性及び防水性を備える材料により形成されている。このスペーサ３０の材料としては、例えば、ポリウレタンフォーム、ロックウール、セラミック繊維、カーボン繊維等、あるいはこれらを組み合わせた材料が使用される。
なお、嵌合部３４を三箇所に設ける例を示したが、これらの嵌合部３４を円周方向に連続してリング状にすることも可能である。
【００１４】
＜中空二層管１０の組立について＞
中空二層管１０を組立てる場合には、外管２０に対して内管１１を通した後、その外管２０から突出した内管１１の両端部にそれぞれスペーサ３０を装着する。次に、各々のスペーサ３０を軸方向に移動して、そのスペーサ３０の嵌合部３４を外管２０の端部内周面と内管１１の外周面との隙間に嵌め込む。これによって、図２（Ａ）（Ｂ）に示すように、内管１１と外管２０とがほぼ同心に保持され、内管１１と外管２０との間に円周方向及び軸方向に連続したほぼ均等な厚みの空間Ｓが形成される。この状態で、中空二層管１０の組立が終了する。
本実施形態に係る中空二層管１０の場合、外管２０の内管１１との隙間寸法は、20ｍｍ以下に設定されており、スペーサ３０の嵌合部３４の厚み寸法Ｈは前記隙間寸法とほぼ等しい値、あるいは材質によって前記隙間寸法よりも大きな値に設定されている。
また、この中空二層管１０を途中で裁断する場合には、裁断後に一方のスペーサ３０を外し、このスペーサ３０を裁断部分に装着することで、中空二層管１０を希望する長さ寸法に調整することが可能になる。なお、中空二層管１０の途中部分は、図２（Ｂ）に示すように、スペーサ等の支持部材が存在しないため、切断作業が容易になる。
なお、中空二層管１０は、外管１２の両端部のスペーサ３０から内管１１を挿し代Ｌだけ突出させた状態の荷姿で搬送しても良いし、内管１１と外管２０とを同じ長さにして、両端部にスペーサ３０を嵌合した状態の荷姿で搬送しても良い。
【００１５】
＜中空二層管１０の長所について＞
上記したように、本実施形態に係る中空二層管１０によると、外管２０の両端部において、その外管２０の端部内周面と内管１１の外周面との隙間に外部から嵌め込まれるスペーサ３０によって、内管１１と外管２０とが非接触状態に保持され、その内管１１と外管２０間に空間が形成される。このように、外管２０の両端部をスペーサ３０で支える構成のため、外管２０の軸方向における途中部分に支持材等が不要になる。このため、内管１１を覆う吸音層等が不要になるとともに、型により空間を形成する必要もなくなり、中空二層管１０の製作コストが低減する。
さらに、外管２０の両端部にスペーサ３０を設け、内管１１と外管２０とを非接触状態に保持するため、空間Ｓが円周方向及び軸方向に連続して形成される。このため、中空二層管１０の円周方向等において吸音性能がばらつき難くなり、中空二層管１０の遮音性能が向上する。
【００１６】
また、スペーサ３０は、内管１１が挿通された状態で外管２０の端面に当接可能なフランジ部３２と、フランジ部３２の円周方向に形成されており、外管２０の端部内周面と前記内管の外周面との隙間に嵌め込まれる嵌合部３４とを備えている。このため、スペーサ３０で空間Ｓの端部を塞げるようになり、空間Ｓ内への異物の侵入や火炎の侵入を防止できる。
さらに、スペーサ３０は、取外しが可能な状態で、外管２０の端部内周面と内管１１の外周面との隙間に嵌め込まれており、取外し後、再度取付けが可能な構成である。
このため、中空二層管１０を途中で裁断した場合でも、その中空二層管１０の端部に装着されていたスペーサ３０を裁断部分に再度使用できるようになる。
また、スペーサ３０は、遮煙性、遮炎性、遮熱性及び防水性を備えているため、火災等から内管１１を効果的に保護できるようになる。
【００１７】
＜変更例１＞
図４は、本実施形態に係る中空二層管１０の変更例を表している。
この中空二層管４０は、受け口付きの排水管であり、内管１１が直管部１２と、その直管部１２の上端に形成された受け口１３とから構成されている。そして、前記受け口１３の先端部にリング状のシール材１４が装着されている。さらに、内管１１の受け口１３の周囲が受け口用外管２２によって直接的に覆われており、直管部１２の周囲が直管部用外管２４によって空間Ｓを介した状態で覆われている。
図４では、直管部用外管２４を固定外管２４ｓと可動外管２４ｍとに分割可能に構成した例を表している。固定外管２４ｓの下端部には、前述のスペーサ３０が装着されて、その固定外管２４ｓが内管１１に対してほぼ同心に保持されている。また、可動外管２４ｍの上端部と下端部とにも同じくスペーサ３０が装着されている。
なお、固定外管２４ｓと可動外管２４ｍとの境界部分では、上向きのスペーサ３０と下向きのスペーサ３０とが重ねられた状態になるが、この部分にフランジ部３２の両側に嵌合部３４を備えるスペーサを使用することも可能である。
【００１８】
＜変更例２＞
なお、本発明は上記実施形態に限定されるものではなく、本発明の要旨を逸脱しない範囲における変更が可能である。例えば、本実施形態では、硬質塩化ビニル製の内管１１を例示したが、内管１１として、例えば、鋳鉄管を使用することも可能である。
また、外管２０として耐火繊維入りのモルタル管を例示したが、この代わりに鋼管を使用することも可能である。
さらに、フランジ部３２と嵌合部３４とから構成されるスペーサ３０を例示したが、スペーサ３０を嵌合部３４のみで形成し、スペーサ３０の外側にリング状の耐火目地材を配置することも可能である。
また、上記実施形態では、本発明を排水立て管に使用した例を示したが、例えば、空調用配管として本発明の中空二層管を使用することも可能である。
【図面の簡単な説明】
【００１９】
【図１】本発明の実施形態１に係る中空二層管の分解斜視図である。
【図２】中空二層管の横断面図（Ａ図、Ｂ図）である。
【図３】中空二層管のスペーサの斜視図である。
【図４】本発明の実施形態１における中空二層管の変更例の分解斜視図である。
【図５】従来の排水管の横断面図である。
【符号の説明】
【００２０】
Ｓ      空間
１１    内管
２０    外管
２４ｓ  固定外管
２４ｍ  可動外管
３０    スペーサ
３２    フランジ部
３４    嵌合部
【図１】
2007113730.tif 000003
【図２】
2007113730.tif 000004
【図３】
2007113730.tif 000005
【図４】
2007113730.tif 000006
【図５】
2007113730.tif 000007